【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
プロセッサ実行可能命令を含むプロセッサ可読記憶媒体であって、前記プロセッサ実行可能命令は、実行された時、
イメージングデバイスに関連付けられたユーザに割り当てられたユーザ識別コードを取り出すこと、
トランスデューサプローブのメモリから前記トランスデューサプローブのトランスデューサ識別コードを取り出すこと、並びに
前記ユーザ識別コード及び前記トランスデューサ識別コードに基づいて、一時的デジタルキーを生成すること、
を、医療用イメージングシステムに実行させる、プロセッサ可読記憶媒体において、
前記プロセッサ実行可能命令は、実行された時、更に
記憶されたデジタルキーを、前記トランスデューサプローブの前記メモリから取り出すこと、
前記記憶されたデジタルキーを前記一時的デジタルキーと比較することを含む、前記トランスデューサプローブの関連付けを検証すること、及び、
前記記憶されたデジタルキーが前記一時的デジタルキーと一致する場合、前記イメージングデバイスを備える前記トランスデューサプローブの動作を実行可能にすること、
を、前記医療用イメージングシステムに実行させることを特徴とする、プロセッサ可読記憶媒体。
【請求項２】
前記検証することに続いて、前記イメージングデバイスから前記一時的デジタルキーを削除するための命令を更に含む、請求項１に記載のプロセッサ可読記憶媒体。
【請求項３】
前記トランスデューサプローブが前記イメージングデバイスから切断された時、前記イメージングデバイスの電源が切られた時、又は前記イメージングデバイス上でのイメージングアプリケーションの実行が終了した時に、前記イメージングデバイスから前記一時的デジタルキーを削除するための命令を、更に含む、請求項１に記載のプロセッサ可読記憶媒体。
【請求項４】
前記一時的デジタルキーが前記記憶されたデジタルキーと一致しない場合、警告を生成するための命令を更に含む、請求項１に記載のプロセッサ可読記憶媒体。
【請求項５】
前記イメージングデバイスに結合されたサーバから、前記ユーザ識別コードを取り出すための命令、
前記イメージングデバイスの前記メモリ内に前記ユーザ識別コードを記憶するための命令、
前記トランスデューサプローブの前記トランスデューサ識別コードを取り出すための命令、
前記ユーザ識別コード及び前記トランスデューサ識別コードに少なくとも部分的に基づいて、デジタルキーを生成するための命令、及び
前記デジタルキーを前記トランスデューサプローブに送信して、前記記憶されたデジタルキーとして前記トランスデューサプローブの前記メモリに記憶させるための命令、
を含む、
前記トランスデューサプローブを前記イメージングデバイスに関連付けるための命令を更に含む、
請求項１に記載のプロセッサ可読記憶媒体。
【請求項６】
前記トランスデューサプローブを前記イメージングデバイスに関連付けるための前記命令は、
前記トランスデューサ識別コードの要求を前記サーバに送信するための命令、
前記トランスデューサ識別コードを前記サーバから受信するための命令、及び、
前記トランスデューサ識別コードを前記トランスデューサプローブに送信して、前記トランスデューサプローブの前記メモリに記憶させるための命令、
を更に含む、請求項５に記載のプロセッサ可読記憶媒体。
【請求項７】
前記トランスデューサプローブを前記イメージングデバイスに関連付けるための前記命令は、
前記ユーザ識別コードの要求を前記サーバに送信するための命令であって、前記ユーザ識別コードの要求を送信することは、デバイス識別コードを前記サーバに送信することを含む、送信するための命令、
前記ユーザ識別コードを前記サーバから取り出すための命令、及び、
前記ユーザ識別コードを前記イメージングデバイスのメモリに記憶するための命令、
を更に含む、請求項５に記載のプロセッサ可読記憶媒体。
【請求項８】
前記トランスデューサプローブを前記イメージングデバイスに関連付けるための前記命令は、
前記イメージングデバイスに関連付けられたデバイス識別コードを、前記イメージングデバイスの前記メモリから取り出すための命令、及び、
前記イメージングデバイスの前記メモリから取り出された前記デバイス識別コードに更に基づいて、前記デジタルキーを生成するための命令、
を更に含む、請求項５に記載のプロセッサ可読記憶媒体。
【請求項９】
トランスデューサプローブに取り外し可能に接続されるイメージングデバイスを備える、医療用イメージングシステムであって、前記イメージングデバイスは、
ユーザ識別コードを記憶するメモリと、
前記メモリに結合されたプローブ認証プロセッサを含む１つ又は複数のプロセッサと、
を備え、
前記プローブ認証プロセッサは、前記トランスデューサプローブからトランスデューサ識別コードを取り出し、前記ユーザ識別コード及び前記トランスデューサ識別コードに部分的に基づいて、一時的デジタルキーを生成する、医療用イメージングシステムにおいて、
前記プローブ認証プロセッサは更に、記憶されたデジタルキーを、前記トランスデューサプローブから取り出し、前記記憶されたデジタルキーを前記一時的デジタルキーと比較することによって、前記トランスデューサプローブの前記イメージングデバイスとの関連付けを検証し、且つ、前記記憶されたデジタルキーが前記一時的デジタルキーと一致する場合、前記イメージングデバイスを伴う前記トランスデューサプローブの動作を実行可能にすることを特徴とする、
医療用イメージングシステム。
【請求項１０】
前記イメージングデバイスは、イベントが発生した際に前記一時的デジタルキーを削除する、請求項９に記載の医療用イメージングシステム。
【請求項１１】
前記イメージングデバイスは、前記デジタルキーを生成し、且つ、前記デジタルキーを前記トランスデューサプローブ上に記憶させる、プローブ構成プロセッサを更に備える、請求項９に記載の医療用イメージングシステム。
【請求項１２】
前記医療用イメージングシステムは、前記トランスデューサプローブの前記メモリが、前記ユーザ識別コード、前記トランスデューサ識別コード、及び第１のイメージングデバイス識別コードに基づく、第１の記憶されたデジタルキーを備える、当該トランスデューサプローブを更に備え、前記トランスデューサプローブは、前記ユーザ識別コード、前記トランスデューサ識別コード、及び第２のイメージングデバイス識別コードに基づく、第２の記憶されたデジタルキーを更に備える、請求項９に記載の医療用イメージングシステム。
【請求項１３】
前記プローブ認証プロセッサは、前記一時的デジタルキーと前記第１の記憶されたデジタルキーとを比較し、前記一時的デジタルキーが前記第１の記憶されたデジタルキーと一致しない場合、前記一時的デジタルキーと前記第２の記憶されたデジタルキーとを比較する、請求項１２に記載の医療用イメージングシステム。
【請求項１４】
サーバを更に備え、前記イメージングデバイスは前記サーバにワイヤレスに接続され、前記イメージングデバイスは、前記ユーザ識別コードを前記サーバから取り出し、且つ、前記ユーザ識別コードを前記イメージングデバイスの前記メモリに記憶する、請求項９に記載の医療用イメージングシステム。
【請求項１５】
サーバを更に備え、前記イメージングデバイスは前記サーバにワイヤレスに接続され、前記イメージングデバイスは、前記トランスデューサ識別コードを前記サーバから取り出し、且つ、前記トランスデューサ識別コードを前記トランスデューサプローブに送信して、前記トランスデューサプローブのメモリに記憶させる、請求項９に記載の医療用イメージングシステム。